(57)【要約】      （修正有）【課題】メンテナンス性やファッション性を低コストで高めたランドセルを提供する。【解決手段】物品を収納する収納部本体１と、該収納部本体１と着脱可能に設けられており、収納部本体１の物品を出入れする開口部を覆う被せ蓋２と、収納部本体１と被せ蓋２との着脱を行なう着脱手段３ｂ及び係止具５とを備えている。ランドセルを使用することによって、被せ蓋２が汚れたり破損したりした時に、破損した被せ蓋２を着脱手段により取り外して、低コストで新しい被せ蓋２と交換することができる。【選択図】図２
2009060924.tif 000002
【特許請求の範囲】
【請求項１】
物品を収納する収納部本体と、該収納部本体と着脱可能に設けられ、前記収納部本体の物品を出し入れする開口部を覆う被せ蓋と、前記収納部本体と前記被せ蓋との着脱を行なう少なくとも２つの着脱手段とを備えた、前記被せ蓋と前記収納部本体とが分離できるランドセル。
【発明の詳細な説明】
【技術分野】
【０００１】  本発明は、収納部本体と被せ蓋とを着脱自在にし、メンテナンス性とファッション性を高めたランドセルに関する。
【背景技術】
【０００２】  従来からあるランドセルは、物品を収納する箱型の収納部本体の物品の出し入れが可能なように開口した上部を覆うように、収納部本体を構成する背板の開口端側に被せ蓋の一端（被せ蓋上部）を固着したものである。物品の出し入れは、被せ蓋の固着されていない他端である被せ蓋下部と収納部本体底部とに設置されている係止具を使用し、被せ蓋を開閉して行なっていた。
【発明の開示】
【発明が解決しようとする課題】
【０００３】  これには次のような欠点があった。
ランドセルは、長年同一のものを使用する間に被せ蓋表面が汚れて見栄えが損なわれる事が多く、また頻繁に買い換えを行なうものではないことから、色や模様に飽きがこないよう流行に左右されない画一的な色やデザインが主流となっているという課題を有していた。【０００４】  本発明は、このような従来の構成が有していた欠点を解決するためになされたものであり、長期使用した時のメンテナンス性が高いと共にファッション性を兼ね備えた、優れたランドセルを提供する事を目的とするものである。
【課題を解決するための手段】
【０００５】  物品を収納する収納部本体と、該収納部本体と着脱可能に設けられ、前記収納部本体の物品を出し入れする開口部を覆う被せ蓋と、前記収納部本体と前記被せ蓋との着脱を行なう少なくとも２つの着脱手段とを備えた、前記被せ蓋と前記収納部本体とが分離できるランドセル。
本発明は、以上の構成よりなるランドセルである。
【発明の効果】
【０００６】  本発明は以上のような構造で、このランドセルを使用することによって、被せ蓋が汚れたり破損したりした時に、破損した被せ蓋を着脱手段により取り外して、低コストで新しい被せ蓋と交換することができる。また、それまで使用していた被せ蓋の色やデザインに飽きがきた時に、異なる被せ蓋と容易に付け替える事ができる。
【発明を実施するための最良の形態】
【０００７】  以下、本発明の実施の形態について図を参照して説明する。【０００８】  ランドセルの物品を収納する箱型の収納部本体１の背板４上部（収納部本体１の物品の出し入れを行なう開口部側）と、被せ蓋２の背板４上部と対向する側（上部）に、それぞれ着脱手段３を設けて連結する（図１）。なお、収納部本体１の底部１ａと被せ蓋２の収納部本体１の底部１ａと対向する下部２ａとには、それぞれ従来のランドセルと同様の着脱部材である係止具５が取り付けられている（図２）。【０００９】  収納部本体１と被せ蓋２との着脱を行なうための着脱手段３の形状や構造は、回転錠、スナップボタン、螺子など、着脱自在に連結するものであれば特に限定せず、様々な条件を考慮して適宜設定して設置すれば良い。また、係合手段の設置数、設置箇所などは、収納部本体と被せ蓋とが安定して結合できるよう適宜設定して設置すれば良い。【００１０】  実際にランドセルを使用する小学生が、被せ蓋２の着脱を容易に行なうことができる着脱手段３としては、回転錠が好ましい。これは従来からあるランドセルの被せ蓋を開閉する際に、収納部本体底部１ａと被せ蓋下部２ａとの係止具５として回転錠が多く使用されていることから、係止具５と同じ機構を使用して収納部本体１と被せ蓋２とを係合することで、子供でも容易に被せ蓋２の着脱を行なうことができる（図２）。【００１１】  また、着脱手段３をランドセル外側から操作できるように設置すれば、被せ蓋２の上部が容易に開閉できるようになるため、収納部本体１から物品を取り出す時に一般的なランドセルにある収納部本体底部１ａの係止具５を使わなくても、上部から簡単に物品の出し入れができるようになり、利便性が高まる（図２）。【００１２】  着脱手段３として回転錠をランドセルへ設置する際の取り付け位置は、オスの回転錠３ａを収納部本体１の背板４上部に設け、メスの回転錠３ｂを被せ蓋２の背板４上部と対向する側（上部）に設ける。背板４と被せ蓋２との接合部は、背板上部のオスの回転錠３ａと被せ蓋上部のメスの回転錠３ｂとを重ね合わせた際に結合できるよう構成されている（図３）。【００１３】  回転錠の背板及び被せ蓋への取り付け方法としては、縫着、鋲止め、接着剤による接合等、耐久性を考慮し適宜の方法を採用することが出来る。【００１４】  また、被せ蓋外側から着脱手段３の回転錠が見えないようにするためには、メスの回転錠３ｂを背板４上部に取り付け、オスの回転錠３ａを被せ蓋２裏側の上部に取り付ければよい。【００１５】  ここでオスの回転錠３ａの被せ蓋２への取り付けは、被せ蓋２の革を表側と内側との二重構造にし、被せ蓋２内側の革上端所定の場所に、背板４と被せ蓋２を重ね合わせた際に結合できるようにオスの回転錠３ａを設置し、被せ蓋２の表側と内側のそれぞれの革を接合する。【００１６】  収納部本体と被せ蓋との連結にスライドファスナーを使用する場合は、収納部本体の背板４上端（収納部本体１の物品の出し入れを行なう開口端）と被せ蓋上端（背板４上端と対向する一端）のそれぞれ縁部にスライドファスナーを縫着し、これを連結面として接合、固定する。【００１７】  また、被せ蓋を子供が容易に着脱できないように、着脱手段として螺子等を��用し固定してもよい。その際、背板と被せ蓋それぞれの上端に穴を穿ち、螺子にて固定する。これにより必要に応じて、被せ蓋を取り付けたり取り外ししたりすることが出来る。【００１８】  容易に被せ蓋のデザイン変更が可能であることから、一般的な被せ蓋とは別に、人気キャラクターの入った柄や変わった模様の物、表面がデニム生地でできているなど一般的にはランドセルに使用されない素材の物、被せ蓋表面をぬいぐるみ等の立体造形物にした物など、ユニークで個性的ないくつものバリエーションから被せ蓋のデザインが選べ、またランドセルを丸ごと買い換えるよりも低コストでのデザイン変更が可能となる。【００１９】  本発明は以上のような構造で、これを使用するときは、被せ蓋が汚れたりした時もしくはそれまでのデザインに飽きがきた時などに、低コストで容易に新しいものと取替える事ができるものである。
【図面の簡単な説明】
【００２０】
【図１】本発明の実施形態のランドセルを示す斜視図である。
【図２】本発明のランドセルの使用状態を示す斜視図である。
【図３】本発明のランドセルの他の使用状態を示す斜視図である。
【符号の説明】
【００２１】    １．  収納部本体
１ａ．収納部本体底部
２．  被せ蓋
２ａ．被せ蓋下部
３．  着脱手段
３ａ．オスの回転錠
３ｂ．メスの回転錠
４．  背板
５．  係止具
６．  背負いベルト
【図１】
2009060924.tif 000003
【図２】
2009060924.tif 000004
【図３】
2009060924.tif 000005